(57)【要約】      （修正有）【課題】倉庫の管理方法において、正パレットの出庫と端数品の出庫を容易にすること。【解決手段】複数の倉庫からなる倉庫群１０の各倉庫に、複数の物品を積付けたパレットを格納する倉庫管理システムであって、倉庫群１０を構成する一部の倉庫を、パレットあたりの最大積付け数の物品が積付けられた正パレットＰａだけを格納する正倉庫１１とし、他の倉庫を、パレットあたりの最大積付け数に満たない数の物品が積付けられた端数パレットＰｂ1〜Ｐｂ３を格納可能にする端数倉庫１２とするもの。【選択図】図２
2006290569.tif 000002
【特許請求の範囲】
【請求項１】
複数の倉庫からなる倉庫群の各倉庫に、複数の物品を積付けたパレットを格納する倉庫の管理方法であって、
倉庫群を構成する一部の倉庫を、パレットあたりの最大積付け数の物品が積付けられた正パレットだけを格納する正倉庫とし、他の倉庫を、パレットあたりの最大積付け数に満たない数の物品が積付けられた端数パレットを格納可能にする端数倉庫とする倉庫の管理方法。
【請求項２】
請求項１に記載の倉庫の管理方法を用いる物品の出庫方法であって、
正パレットの出庫については、正倉庫を出庫元として指示し、正倉庫の格納パレットを出庫し、
端数品の出庫については、端数倉庫を出庫元として指示し、端数倉庫の格納パレットから必要数の物品を取りくずして出庫する物品の出庫方法。
【請求項３】
複数の倉庫からなる倉庫群の各倉庫に、複数の物品を積付けたパレットを格納する倉庫管理システムであって、
倉庫群を構成する一部の倉庫を、パレットあたりの最大積付け数の物品が積付けられた正パレットだけを格納する正倉庫とし、他の倉庫を、パレットあたりの最大積付け数に満たない数の物品が積付けられた端数パレットを格納可能にする端数倉庫とする倉庫管理システム。
【請求項４】
請求項３に記載の倉庫管理システムを用いる物品の出庫方法であって、
正パレットの出庫については、正倉庫を出庫元として指示し、正倉庫の格納パレットを出庫し、
端数品の出庫については、端数倉庫を出庫元として指示し、端数倉庫の格納パレットから必要数の物品を取りくずして出庫する物品の出庫方法。
【発明の詳細な説明】
【技術分野】
【０００１】
本発明は倉庫の管理方法に関する。
【背景技術】
【０００２】
倉庫の管理方法には、これまで種々の手法が採られてきた。
例えば、倉庫管理システムとして、特許文献１に記載の如く、複数の同一品種物品を積付けたパレットを倉庫に格納するものがある。このような倉庫管理システムでは、入出庫指示情報に基づき、複数のパレットのそれぞれを同一倉庫に対し入出庫する。
【特許文献１】特開2003-2415
【発明の開示】
【発明が解決しようとする課題】
【０００３】
倉庫に物品を保管するにあたり、１個のパレットに積付け可能な同一品目物品の最大積付け数を定めており、倉庫には、最大積付け数の物品が積付けられた正パレットと最大積付け数に満たない端数パレットがある。入庫について、殆どが正パレットで入庫されるが、出庫については正パレットと端数が出庫されることが多い。端数を出庫する際、端数パレットが無い場合には正パレットを崩しとることで端数を出庫することになるが、保管場所の先頭にパレットから崩す場合が多いため、正パレットの前に端数パレットが存在することになる。ここで、端数品の出庫により、最大積付け数に満たない数の物品を積付けることになったパレットは端数パレットと称される。
【０００４】
従って、このような倉庫から正パレットを出庫しようとすると端数パレットを一度移動して、正パレットを取出した後に端数パレットを元に戻す必要があり、煩雑である。
【０００５】
また、倉庫管理システムにおいては、１個のパレットに積付け可能な同一品種物品の最大積付け数を定めており、入庫については通常、最大積付け数の物品が積付けられた正パレットを入庫し、出庫については正パレットの出庫と、正パレット上の物品の一部をくずしとる端数品の出庫とがなされる。
【０００６】
従来の倉庫管理システムにおいて、同一倉庫内のある保管場所（ロケーション）に正パレットと端数パレットが混在する場合には、端数パレットは他の正パレットよりも保管場所内の取出作業領域（通路）側に位置付けられる。従って、このような倉庫から正パレットを取出そうとするときには、端数パレットをその保管場所から一度移動して正パレットを取出した後、当該倉庫の在庫管理上、当該端数パレットを当該保管場所に戻す必要があり、煩雑である。
【０００７】
本発明の課題は、倉庫における正パレットの出庫と端数品の出庫を容易にすることである。
【０００８】
また、本発明の課題は、倉庫管理システムにおいて、正パレットの出庫と端数品の出庫を容易にすることにある。
【課題を解決するための手段】
【０００９】
請求項１の発明は、複数の倉庫からなる倉庫群の各倉庫に、複数の物品を積付けたパレットを格納する倉庫の管理方法であって、倉庫群を構成する一部の倉庫を、パレットあたりの最大積付け数の物品が積付けられた正パレットだけを格納する正倉庫とし、他の倉庫を、パレットあたりの最大積付け数に満たない数の物品が積付けられた端数パレットを格納可能にする端数倉庫とするようにしたものである。
【発明を実施するための最良の形態】
【００１０】
図１は本発明の倉庫の管理方法が適用される工場レイアウトを示すものであり、第１工場１に本発明の倉庫群１０を付帯し、第２工場２に正倉庫２０を付帯している。
【００１１】
倉庫群１０は、図２に示す如く、１つの建屋内にて区分された正倉庫１１と端数倉庫１２の２つの倉庫を有して構成される。但し、正倉庫１１と端数倉庫１２は別個の建屋のそれぞれに設けられ、互いに離隔配置されるものでも良い。倉庫群１０の正倉庫１１と端数倉庫１２は、第１工場１で製造された同一品種物品が積付けられたパレットＰを入庫して格納する。
【００１２】
正倉庫１１は、例えば３列をなす保管場所（ロケーション）１１Ａ〜１１Ｃのそれぞれに、パレットあたりの最大積付け数の物品が積付けられた正パレットＰａだけを格納する。即ち、正倉庫１１は、第１工場１から輸送されてきた正パレットＰａを入庫して保管した後、正パレットＰａの出庫指示情報により、それらの正パレットＰａを保管場所１１Ａ〜１１Ｃからそのまま出庫可能とする。
【００１３】
端数倉庫１２は、例えば２列をなす保管場所（ロケーション）１２Ａ、１２Ｂのそれぞれに、パレットあたりの最大積付け数に満たない数の物品（端数品）が積付けられた端数パレットＰｂを格納可能とする。即ち、端数倉庫１２は、第１工場１から輸送されてきた正パレットＰａを入庫して保管した後、端数品の出庫指示情報により、それらの正パレットＰａのうち、保管場所１２Ａ、１２Ｂの取出作業領域（通路）側に位置している正パレットＰａから必要数の物品をくずし取って出庫する。このようにして物品がくずし取られたパレットは、端数パレットＰｂとしてその位置に格納可能とされ、以後の端数品の出庫指示情報に対してはこの端数パレットＰｂから必要数の物品をくずし取って出庫するものになる。
【００１４】
尚、通常倉庫２０は、第２工場２で製造された同一品種物品が積付けられたパレットＰを入庫して格納する。
【００１５】
本実施例によれば以下の作用効果を奏する。
同一品種物品について、正倉庫１１は正パレットＰａだけを格納し、端数倉庫１２は端数パレットＰｂを格納可能にする。従って、正パレットＰａを取出そうとするときには、正倉庫１１に格納されている正パレットＰａを取出せば良く、端数パレットＰｂの移動を必要としない。また、端数品を取出そうとするときには、端数倉庫１２の取出作業領域（通路）側の保管場所に位置付けられている端数パレットＰｂ（Ｐｂ1又はＰｂ2・・・のいずれかの必要数量に適切なものを選択して）から（端数化された端数パレットＰｂが未だなければ、正パレットＰａから）必要数の物品をくずし取れば足りる。従って、正パレットＰａの出庫と端数品の出庫を容易化できる。
【００１６】
また、上記実施例にあっては、物流管理コンピュータなどのコンピュータを導入することにより、自動化されたシステムを構築することもできる。
【００１７】
この場合、倉庫群１０からの出庫動作は以下の如くなされる。
(1)第１工場１で製造された同一品種物品に関する正パレットＰａの出庫オーダについては、物流管理コンピュータが正倉庫１１の保管場所１１Ａ〜１１Ｃのいずれかを出庫元として指示する。作業者は、この指示に基づき、正倉庫１１の指示されたいずれかの保管場所１１Ａ〜１１Ｃの格納パレットである正パレットＰａを出庫する。
【００１８】
(2)第１工場１で製造された上述(1)と同一品種物品に関する端数品の出庫オーダについては、物流管理コンピュータが端数倉庫１２の保管場所１２Ａ又は１２Ｂを出庫元として指示する。作業者は、この指示に基づき、端数倉庫１２の指示された保管場所１２Ａ又は１２Ｂの格納パレットである、すでに端数化されている端数パレットＰｂから、この端数パレットＰｂがなければ正パレットＰａから必要数の物品を取りくずして出庫する。
【図面の簡単な説明】
【００１９】
【図１】図１は本発明の倉庫管理システムが適用される工場レイアウトを示す平面図である。
【図２】図２は倉庫群を示す平面図である。
【符号の説明】
【００２０】
１０  倉庫群
１１  正倉庫
１２  端数倉庫
Ｐａ  正パレット
Ｐｂ  端数パレット
【図１】
2006290569.tif 000003
【図２】
2006290569.tif 000004